(57)【要約】      （修正有）【課題】ブラックボードの表面に記入された専用マーカーのインクを容易に拭き取ることができるブラックボード専用イレーザーを提供する。【解決手段】吸水性のあるスポンジ１と、スポンジ１を割繊糸の超極細繊維で覆った袋部２と、その袋部２に取り付けた紐部３とを有するものであり、ブラックボードのインク文字を専用のクリーナー液又は水によって容易に拭き取って内部に取り込み、消字できるブラックボード専用イレーザーである。【選択図】図３
0003203103.tif 000002
【実用新案登録請求の範囲】
【請求項１】
ブラックボード専用イレーザーであって、
吸水性のあるスポンジと、
前記スポンジを覆う超極細繊維の袋部とを有することを特徴とするブラックボード専用イレーザー。
【請求項２】
袋部の超極細繊維に、割繊糸を用いたことを特徴とする請求項１記載のブラックボード専用イレーザー。
【請求項３】
袋部の超極細繊維は、親水性の薬剤加工が施されていることを特徴とする請求項１又は２記載のブラックボード専用イレーザー。
【請求項４】
袋部には、ループ形状の紐が取り付けられていることを特徴とする請求項１乃至３のいずれか記載のブラックボード専用イレーザー。
【考案の詳細な説明】
【技術分野】
【０００１】
本考案は、ブラックボード用のイレーザー（消字器具）に係り、特に、つや消しブラックボードのインク文字を専用のクリーナー液又は水によって容易に消字できるブラックボード専用イレーザーに関する。
【背景技術】
【０００２】
［先行技術の説明］
従来、レストラン等の店舗のメニュー等がカラフルなボードマーカーでブラックボードに記入されている。
そのブラックボードに記載された文字は、水を含ませた布を用いて消すようになっている。
【０００３】
ただし、店舗等で用いられるブラックボードに記載した文字は、布で簡単に擦っただけで落ちてしまうことがないよう、簡単には消字できないものであり、水等によって強く擦ることで消字できるものである。
【０００４】
［関連技術］
尚、関連する先行技術としては、特開２０００−６２３９３号公報「情報書き込み用媒体」（特許文献１）、実開平０３−４７１９３号公報「煙の出ない黒板消し」（特許文献２）、実用新案登録第３１２２５００号公報「電子黒板用イレーザー」（特許文献３）がある。
【０００５】
特許文献１には、つや消しされた表面を有し、水分の供給によってインクを消去可能な専用のマーカーペンによって筆記される情報書き込み用媒体が記載されている。
特許文献２には、チョークの粉が煙となって舞うのを防止するために、拭き取り布とスポンジとの間に高吸水性樹脂のシートを設けた黒板消しが記載されている。
特許文献３には、電子黒板上の表記を消去するために、複数の微小な半球状の凸部又は凹部がアレー状に配置された消去部を備える電子黒板用イレーザーが記載されている。
【先行技術文献】
【特許文献】
【０００６】
【特許文献１】特開２０００−６２３９３号公報
【特許文献２】実開平０３−４７１９３号公報
【特許文献３】実用新案登録第３１２２５００号公報
【考案の概要】
【考案が解決しようとする課題】
【０００７】
しかしながら、上記従来のブラックボード用イレーザーでは、ブラックボードにカラフルな専用マーカーのインクで記入した場合に、ブラックボードの表面の凸凹によってインクを容易に拭き取ることができないという問題点があった。
【０００８】
尚、特許文献１〜３には、つや消しのブラックボードの表面に専用のマーカーで記入されたインクを専用のクリーナー液又は水で容易に拭き取って内部に取り込み、消字を簡易にすることは記載されていない。
【０００９】
本考案は上記実状に鑑みて為されたもので、ブラックボードの表面に記入された専用マーカーのインクを容易に拭き取ることができるブラックボード専用イレーザーを提供することを目的とする。
【課題を解決するための手段】
【００１０】
上記従来例の問題点を解決するための本考案は、ブラックボード専用イレーザーであって、吸水性のあるスポンジと、スポンジを覆う超極細繊維の袋部とを有することを特徴とする。
【００１１】
また、本考案は、上記ブラックボード専用イレーザーにおいて、袋部の超極細繊維に、割繊糸を用いたことを特徴とする。
【００１２】
また、本考案は、上記ブラックボード専用イレーザーにおいて、袋部の超極細繊維が、親水性の薬剤加工が施されていることを特徴とする。
【００１３】
また、本考案は、上記ブラックボード専用イレーザーにおいて、袋部には、ループ形状の紐が取り付けられていることを特徴とする。
【考案の効果】
【００１４】
本考案によれば、吸水性のあるスポンジと、スポンジを覆う超極細繊維の袋部とを有するブラックボード専用イレーザーであって、ブラックボードのインク文字を専用のクリーナー液又は水によって容易に消字できる効果がある。
【図面の簡単な説明】
【００１５】
【図１】本イレーザーの概略図である。
【図２】本イレーザーの正面説明図である。
【図３】本イレーザーの断面説明図である。
【考案を実施するための形態】
【００１６】
本考案の実施の形態について図面を参照しながら説明する。
［実施の形態の概要］
本考案の実施の形態に係るブラックボード専用イレーザーは、吸水性のあるスポンジと、そのスポンジを割繊糸の超極細繊維で覆った袋部とを有するものであり、ブラックボードのインク文字を専用のクリーナー液又は水によって容易に取り込んで消字できるものである。
【００１７】
本考案の実施形態に係るブラックボード専用イレーザー（本イレーザー）について図１，２，３を参照しながら説明する。図１は、本イレーザーの概略図であり、図２は、本イレーザーの正面説明図であり、図３は、本イレーザーの断面説明図である。
【００１８】
本イレーザーは、図１，２，３に示すように、箱型のスポンジ１を内部に備え、そのスポンジ１を袋部２が包み込んでいる。
スポンジ１は、細かい空洞孔を複数備えており、柔らかく、復元性があって、吸水性が高いものとなっている。
尚、スポンジ１は、箱型に限らず、円盤型、球型であってもよい。
【００１９】
袋部２は、超極細繊維を用いて、スポンジ１を覆うように形成されている。つまり、袋部２を袋状に形成し、その中にスポンジ１を挿入して、入口を縫い合わせ、その縫い合わせた部分に紐部３を取り付けたものである。
【００２０】
超極細繊維は、高密度に編んだ生地を使用しており、具体的には割繊糸を用いている。
割繊糸とは、放射状のナイロン糸と複数のポリエステル糸とが組み合わされて構成される糸である。その断面は、ポリエステル糸が、みかんの房のように例えば８等分にわかれている。そして、ナイロンを後で溶かすことにより、空気が入り込んで、ふっくらとした形状の糸に仕上がるものである。
【００２１】
超極細繊維は、繊維が極細であるため、ブラックボードの表面にキズを付けにくいものである。
また、超極細繊維の割繊糸は、割繊しているので、繊維の表面積が広くなり、ブラックボードの表面に記入された専門のマーカーのインクを拭き取って内部に取り込み易くなり、効率的に消字できるものである。
【００２２】
更に、超極細繊維は、親水性を高めるために、親水溶剤による処理が施されている。
親水性の高い割繊糸の超極細繊維は、専用の拭き取り用の溶液又は水によってブラックボードの表面に記入された専用のインクをブラックボードから容易に拭き取って内部に取り込むものである。
内部に取り込んだ専用マーカーのインクは、水あらい等で容易に取り除くことができる。
【００２３】
また、本イレーザーには、ループ状の紐部３が取り付けられている。本イレーザーを洗った後にフック等に紐部３を引っ掛けて容易に干して乾燥させることができる。
また、ブラックボードの文字を消すときに、紐部３に指を入れて作業すれば、本イレーザーを落とすことがない。
【００２４】
［実施の形態の効果］
本イレーザーによれば、吸水性のあるスポンジ１を割繊糸の超極細繊維の袋部２で覆い、その袋部２に紐部３を取り付けたものであり、ブラックボードのインク文字を専用のクリーナー液又は水によって容易に拭き取って内部に取り込み、消字できる効果がある。
【産業上の利用可能性】
【００２５】
本考案は、ブラックボードの表面に記入された専用マーカーのインクを容易に拭き取ることができるブラックボード専用イレーザーに適している。
【符号の説明】
【００２６】
１...スポンジ、  ２...袋部、  ３...紐部
【図１】
0003203103.tif 000003
【図２】
0003203103.tif 000004
【図３】
0003203103.tif 000005